(57)【要約】【課題】記録媒体の種類に係わらず両面搬送路へ円滑に案内でき、両面印字時におけるジャムの発生を抑制可能な簡易な構成の画像形成装置を提供する。【解決手段】画像形成装置は、画像形成部と、排出部と、排出部と画像形成部とを連結する記録媒体搬送路と、記録媒体搬送路の湾曲部から分岐して形成され、画像形成部の上流側に連結される反転搬送路と、を備える。反転搬送路が分岐する記録媒体搬送路の湾曲部の内コーナー側の搬送面には、搬送面に対し突出または退避する方向に揺動可能に支持される第１搬送ガイドと、搬送面に固定された第２搬送ガイドと、が設けられている。第１搬送ガイドは、第２搬送ガイドに形成されたガイドリブよりも記録媒体搬送路内に突出した第１の位置と、搬送面からの最大突出高さがガイドリブと同一であるか、若しくはガイドリブよりも搬送面側に退避した第２の位置と、に選択配置される。【選択図】図４
2016044046.tif 000002
【特許請求の範囲】
【請求項１】
記録媒体に画像を形成する画像形成部と、
該画像形成部よって画像が形成された記録媒体を排出する排出部と、
該排出部と前記画像形成部とを連結する記録媒体搬送路と、
該記録媒体搬送路の湾曲部から分岐して形成され、前記画像形成部の上流側に連結される反転搬送路と、を備え、
前記記録媒体搬送路内を搬送される記録媒体の搬送方向を逆方向として記録媒体の後端から前記反転搬送路に案内し、記録媒体の表裏面を反転させた状態で前記画像形成部に再搬送する両面印字機能を有する画像形成装置において、
前記反転搬送路が分岐する前記記録媒体搬送路の湾曲部の内コーナー側の搬送面には、前記搬送面に対し突出または退避する方向に揺動可能に支持される第１搬送ガイドと、前記搬送面に固定された第２搬送ガイドと、が設けられており、
前記第１搬送ガイドは、前記第２搬送ガイドに形成されたガイドリブよりも前記記録媒体搬送路内に突出した第１の位置と、前記搬送面からの最大突出高さが前記ガイドリブと同一であるか、若しくは前記ガイドリブよりも前記搬送面側に退避した第２の位置と、に選択配置されることを特徴とする画像形成装置。
【請求項２】
前記第１搬送ガイドは、外力が加えられていない状態では前記第１の位置に配置されており、記録媒体が前記湾曲部を通過することによって前記第２の位置に移動可能であることを特徴とする請求項１に記載の画像形成装置。
【請求項３】
前記第１搬送ガイドは、前記第１搬送ガイドを前記第１の位置方向に揺動させるモーメントが発生するように揺動支点および重心位置が設定されており、
前記湾曲部を通過する記録媒体から前記第１搬送ガイドに作用する外力の大きさが前記モーメントの大きさを超えるとき、前記第１搬送ガイドが前記第２の位置に移動することを特徴とする請求項２に記載の画像形成装置。
【請求項４】
前記第１搬送ガイドが前記第２の位置にあるとき、前記記録媒体搬送路から前記湾曲部を通過して前記反転搬送路に向かう記録媒体の反転搬送方向に対し、少なくとも前記第１搬送ガイドの上流側が前記第２搬送ガイドよりも前記搬送面側に退避することを特徴とする請求項１乃至請求項３のいずれかに記載の画像形成装置。
【発明の詳細な説明】
【技術分野】
【０００１】
本発明は、記録媒体の両面に印字する両面印字機能を備えた複写機、ファクシミリ、プリンター等の画像形成装置に関するものである。
【背景技術】
【０００２】
従来の画像形成装置においては、用紙（記録媒体）の一方の面に画像を印字した後、用紙の印字面を反転させて再度画像形成部に送り込み、画像が印字されていない他方の面にも印字を行う両面印字機能を有するものが知られている。
【０００３】
そして、用紙の印字面を反転させる方法として、通常の印字に用いる搬送路から分岐した反転搬送路（両面搬送路）を設け、用紙の後端が分岐部を通過した後に搬送方向を逆転させ、用紙の後端から両面搬送路に進入（スイッチバック）させて用紙の印字面を反転させる方法がある。
【０００４】
特許文献１には、両面搬送路から記録紙を受け入れる搬入経路と、搬入経路に続き、記録紙を反転させる反転経路と、反転した記録紙をレジストローラー対側に再度送り込む搬出経路の各経路が設けられたカラープリンターが開示されている。搬入経路と搬出経路の合流部（分岐部）には反転切替爪が設けられ、記録紙の搬入時には、反転経路側の搬入経路側を開放し、記録紙の搬出時には搬出経路側を開放する。合流部にはセンサーが設けられ、搬入経路を通過する転写紙の先後端、搬出経路を通過する転写紙の先後端をそれぞれ検出する。
【０００５】
また、分岐部における切り替え動作音を抑制するために、特許文献２には、搬送路の分岐部に設けられた分岐爪と分岐後の搬送ローラー駆動部とを動力伝達機構により連結し、動力伝達機構の一部にトルクリミッターを設け、搬送ローラーの回転方向の選択によって分岐爪の方向を切替えるシート分岐機構が開示されている。
【先行技術文献】
【特許文献】
【０００６】
【特許文献１】特開２００２−２７４７４７号公報
【特許文献２】特開２００８−２３０７４８号公報
【発明の概要】
【発明が解決しようとする課題】
【０００７】
上記のような反転搬送路を用いて用紙のスイッチバックを行う画像形成装置においては、搬送される用紙の種類によっては円滑な搬送が行えない場合がある。例えば、搬送される用紙が厚紙である場合、厚紙は普通紙に比べてカールし易い。そのため、通常の搬送路と反転搬送路の分岐部でスイッチバックされた用紙の後端が反転搬送路に案内されずに再び通常の搬送路に進入してしまうという問題点があった。
【０００８】
そこで、通常の搬送路と反転搬送路の分岐部に、スイッチバックされた用紙を反転搬送路に案内するための搬送ガイドを設けることが考えられる。しかし、厚紙と普通紙とでは復元力（コシ）やカールし易さが異なるため、厚紙と普通紙の両方を反転搬送路に円滑に案内できる搬送ガイドを設けることは困難であった。
【０００９】
本発明は、上記問題点に鑑み、記録媒体の種類に係わらず反転搬送路へ円滑に案内でき、両面印字時におけるジャムの発生を抑制可能な簡易な構成の画像形成装置を提供することを目的とする。
【課題を解決するための手段】
【００１０】
上記目的を達成するために本発明の第１の構成は、画像形成部と、排出部と、記録媒体搬送路と、反転搬送路と、を備え、記録媒体搬送路内を搬送される記録媒体の搬送方向を逆方向として記録媒体の後端から反転搬送路に案内し、記録媒体の表裏面を反転させた状態で画像形成部に再搬送する両面印字機能を有する画像形成装置である。画像形成部は、記録媒体に画像を形成する。排出部は、画像形成部によって画像が形成された記録媒体を排出する。記録媒体搬送路は、排出部と画像形成部とを連結する。反転搬送路は、記録媒体搬送路の湾曲部から分岐して形成され、画像形成部の上流側に連結される。反転搬送路が分岐する記録媒体搬送路の湾曲部の内コーナー側の搬送面には、搬送面に対し突出または退避する方向に揺動可能に支持される第１搬送ガイドと、搬送面に固定された第２搬送ガイドと、が設けられている。第１搬送ガイドは、第２搬送ガイドに形成されたガイドリブよりも記録媒体搬送路内に突出した第１の位置と、搬送面からの最大突出高さがガイドリブと同一であるか、若しくはガイドリブよりも搬送面側に退避した第２の位置と、に選択配置される。
【発明の効果】
【００１１】
本発明の第１の構成によれば、厚紙等のコシの強い記録媒体を用いて両面印字を行う場合は、厚紙の通過によって第２の位置に配置された第１搬送ガイドに代わって、第２搬送ガイドから湾曲部内に突出するガイドリブに沿って厚紙が反転搬送路に円滑に案内される。従って、後端側から湾曲部内に進入した厚紙が誤って記録媒体搬送路に案内されることによるジャムの発生を防止することができる。
【図面の簡単な説明】
【００１２】
【図１】本発明の一実施形態に係る画像形成装置１００の内部構造を示す側面断面図
【図２】図１における湾曲部２０周辺の部分拡大図
【図３】定着装置１５の外観斜視図
【図４】第１搬送ガイド３０ａ、３０ｂ、及び第２搬送ガイド３１ｂ付近の拡大図であり、第１搬送ガイド３０が第１の位置に配置された状態を示す図
【図５】第１搬送ガイド３０が第１の位置にあるときの側面断面図
【図６】第１搬送ガイド３０が第２の位置にあるときの側面断面図
【図７】第１搬送ガイド３０ａ、３０ｂ、及び第２搬送ガイド３１ｂ付近の拡大図であり、第１搬送ガイド３０が第２の位置に配置された状態を示す図
【発明を実施するための形態】
【００１３】
以下、図面を参照しながら本発明の実施形態について説明する。図１は、本発明の一実施形態に係る画像形成装置１００の内部構造を示す側面断面図である。画像形成装置（例えばモノクロプリンター）１００内には、帯電、露光、現像及び転写の各工程によりモノクロ画像を形成する画像形成部Ｐが配設されている。画像形成部Ｐには、感光体ドラム５の回転方向（図１の時計回り方向）に沿って、帯電ユニット４、露光ユニット（レーザー走査ユニット等）７、現像ユニット８、転写ローラー１４、クリーニング装置１９、及び除電装置（図示せず）が配設されている。
【００１４】
画像形成動作を行う場合、帯電ユニット４により時計回り方向に回転する感光体ドラム５が一様に帯電され、原稿画像データに基づく露光ユニット７からのレーザービームにより感光体ドラム５上に静電潜像が形成され、現像ユニット８により静電潜像に現像剤（以下、トナーという）が付着されてトナー像が形成される。
【００１５】
この現像ユニット８へのトナーの供給はトナーコンテナ９から行われる。なお、画像データはパーソナルコンピューター（図示せず）等から送信される。また、感光体ドラム５の表面の残留電荷を除去する除電装置（図示せず）がクリーニング装置１９の下流側に設けられている。
【００１６】
上記のようにトナー像が形成された感光体ドラム５に向けて、用紙が給紙カセット１０又は手差し給紙装置１１から用紙搬送路１２及びレジストローラー対１３を経由して搬送され、転写ローラー１４（画像転写部）により感光体ドラム５の表面に形成されたトナー像が用紙に転写される。トナー像が転写された用紙は感光体ドラム５から分離され、定着装置１５に搬送されてトナー像が定着される。定着装置１５を通過した用紙は、用紙搬送路１６により装置上部に搬送され、用紙の片面のみに画像を形成する場合（片面印字時）は、排出ローラー対１７により排出トレイ１８に排出される。
【００１７】
一方、用紙の両面に画像を形成する場合（両面印字時）は、用紙の後端が用紙搬送路１６の湾曲部２０を通過した後に搬送方向を逆転させる。これにより、用紙は湾曲部２０から分岐する反転搬送路２１に振り分けられ、画像面を反転させた状態でレジストローラー対１３に再搬送される。そして、感光体ドラム５上に形成された次のトナー像が、転写ローラー１４によって用紙の画像が形成されていない面に転写される。トナー像が転写された用紙は、定着装置１５に搬送されてトナー像が定着された後、排出ローラー対１７により排出トレイ１８に排出される。なお、両面印字時における用紙の詳細な搬送手順については後述する。
【００１８】
図２は、図１における湾曲部２０周辺の部分拡大図であり、図３は、定着装置１５の外観斜視図である。図２に示すように、用紙搬送方向（図２の実線矢印）に対し定着装置１５の下流側においては、用紙搬送路１６の湾曲部２０から反転搬送路２１が分岐している。用紙搬送路１６には、定着装置１５から排出ローラー対１７までの間に搬送ローラー対２３、２５が配置されている。定着装置１５を通過した用紙は搬送ローラー対２３、２５を介して搬送ローラー対１７に搬送される。
【００１９】
図３に示すように、定着装置１５のハウジング１５ａには搬送ローラー対２３と第１搬送ガイド３０とが設けられている。搬送ローラー対２３は、シャフトに固定された４個のローラー体がハウジング１５ａの長手方向（用紙幅方向）の４箇所に配置されている。第１搬送ガイド３０は、用紙搬送方向に対し搬送ローラー対２３の下流側直近に、ハウジング１５ａの長手方向の４箇所に配置されている。なお、図３では搬送ローラー対２３を構成する片側のローラーのみを図示している。
【００２０】
ハウジング１５ａの片側（図３の左手前側）の側面は湾曲部２０、反転搬送路２１の搬送面の一部を構成している。具体的には、搬送ローラー対２３よりも上方の側面が湾曲部２０の内コーナー側の搬送面２０ａ（第２搬送ガイド３１ａ〜３１ｅ）となり、搬送ローラー対２３よりも下方の側面が反転搬送路２１の搬送面２１ａとなる。
【００２１】
図４は、図３における第１搬送ガイド３０ａ、３０ｂ、及び第２搬送ガイド３１ｂ付近の拡大図であり、図５は、第１搬送ガイド３０ａ〜３０ｄの側面断面図である。第１搬送ガイド３０α〜３０ｄは、用紙幅方向において大サイズ（Ａ３、Ｂ４サイズ）、小サイズ（Ａ４縦、Ｂ５縦サイズ）の両端部に対応する４箇所に、用紙搬送路１６の内面に突出するように設けられており、１つの第１搬送ガイド３０は用紙幅方向に並ぶ３本のガイド爪で構成されている。図５に示すように、揺動支Ｏを中心としてハウジング１５ａに揺動可能に支持されている。なお、第１搬送ガイド３０ｃ、３０ｄ、及び第２搬送ガイド３１ｄの構成は、図４と左右対称であるため説明を省略する。
【００２２】
第１搬送ガイド３０ａ〜３０ｄの重心Ｇは揺動支点Ｏよりもハウジング１５ａの外側（図５の左側）にある。そのため、第１搬送ガイド３０ａ〜３０ｄには矢印Ａ方向のモーメントが作用しており、通常は第１搬送ガイド３０ａ〜３０ｄの下端部がハウジング１５ａの支持部３３に当接することで図４に示すような起立状態に保持されている。
【００２３】
また、第１搬送ガイド３０ａ、３０ｄの外側、及び第１搬送ガイド３０ａ〜３０ｄの間には、第２搬送ガイド３１ａ〜３１ｅが設けられている。第２搬送ガイド３１ａ〜３１ｅには、用紙搬送方向（図４の上下方向）に沿って延在する搬送リブ３２ａが一体形成されている。また、用紙幅方向に対し外側から２番目の第２搬送ガイド３１ｂ、３１ｄには、搬送リブ３２ａよりも突出高さの大きいガイドリブ３２ｂが一体形成されている。第１搬送ガイド３０は、図５に示すような起立状態にあるとき、ガイドリブ３２ｂよりも湾曲部２０内に突出した位置（以下、第１の位置という）に配置されている。
【００２４】
第１搬送ガイド３０ａ〜３０ｄ及び第２搬送ガイド３１ａ〜３１ｅの配置を更に詳細に説明する。図３に示すように、第１搬送ガイド３０ａ〜３０ｄと第２搬送ガイド３１ａ〜３１ｅは用紙幅方向に交互に配置されている。具体的には、Ａ３サイズの用紙の幅方向両端部は最外側の第２搬送ガイド３１ａ、３１ｅに対向する。Ｂ４サイズの用紙の幅方向両端部は、外側の第１搬送ガイド３０ａ、３０ｄの３本のガイド爪のうち中央のガイド爪に対向する。Ａ５縦サイズの用紙の幅方向両端部は、内側の第１搬送ガイド３０ｂ、３０ｃに対向する。
【００２５】
また、図３の外側から２番目の第２搬送ガイド３１ｂ、３１ｄに形成されたリブのうち、外側のリブがガイドリブ３２ｂであり、Ａ４縦サイズの用紙の幅方向端部が対向する位置に形成されている。なお、Ｂ５縦サイズの用紙の幅方向端部は、第２搬送ガイド３１ｂ、３１ｄにおいてガイドリブ３２ｂの用紙幅方向内側に隣接して形成された搬送リブ３２ａに対向する。
【００２６】
以下、Ａ４縦サイズの用紙が湾曲部２０を通過する際の第１搬送ガイド３０ａ〜３０ｄ、第２搬送ガイド３１ａ〜３１ｅの機能について説明する。先ず、普通紙を用いて片面印字を行う場合について説明すると、転写ローラー１４（図１参照）によって感光体ドラム５（図１参照）上に形成されたトナー像が転写された普通紙は、定着装置１５においてトナー像が定着される。
【００２７】
定着装置１５を通過した普通紙は、搬送ローラー対２３によって用紙搬送路１６を上方に向けて搬送される（図２の実線矢印）。このとき、普通紙は第１搬送ガイド３０ｂ、３０ｃに接触しながら湾曲部２０を通過する。前述したように、第１搬送ガイド３０ｂ、３０ｃは揺動支点Ｏを中心として揺動可能であるため、図７に示すように、第１搬送ガイド３０ｂ、３０ｃは、普通紙の接触によって第１搬送ガイド３０ｂ、３０ｃに作用するモーメント（図５参照）に抗して第１搬送ガイド３０を時計回り方向（矢印Ａ′方向）に回転する。その結果、第１搬送ガイド３０ｂ、３０ｃは搬送面２０ａ方向に倒伏した状態となり、普通紙を上方へ向けて案内する際の搬送負荷を低減することができる。その後、普通紙は搬送ローラー対２５、排出ローラー対１７を介して排出トレイ１８に排出され、片面印字が終了する。普通紙が通過した後は、第１搬送ガイド３０ｂ、３０ｃは再び第１の位置に戻る。
【００２８】
また、普通紙を用いて両面印字を行う場合は、定着装置１５を通過した普通紙を搬送ローラー対２３、２５、排出ローラー対１７によって用紙搬送路１６を上方に向けて搬送する。（図２の実線矢印）そして、普通紙の後端が湾曲部２０を通過したタイミング（普通紙の後端が第１搬送ガイド３０ｂ、３０ｃに重なった状態）で搬送ローラー対２５、排出ローラー対１７を逆方向に回転させる。これにより、普通紙の搬送方向が逆向きとなり、普通紙は後端を先頭にして再び湾曲部２０を下向きに通過する。そして、第１搬送ガイド３０ｂ、３０ｃは普通紙を押し返すように、図５の矢印Ａ方向に揺動して第１の位置に戻る。これにより、普通紙の後端が第１搬送ガイド３０に沿って反転搬送路２１に案内される（図２の破線矢印）。
【００２９】
反転搬送路２１を通過した普通紙は、画像面を反転させた状態でレジストローラー対１３（図１参照）に再搬送される。そして、感光体ドラム５上に形成された次のトナー像が、転写ローラー１４によって普通紙の画像が形成されていない面に転写される。トナー像が転写された普通紙は、再び定着装置１５に搬送されてトナー像が定着された後、搬送ローラー対２３、２５、及び排出ローラー対１７により排出トレイ１８に排出され、両面印字が終了する。
【００３０】
上述したように、普通紙を用いて両面印字を行う場合は、湾曲部２０に揺動可能に設けられた第１搬送ガイド３０ｂ、３０ｃによって、普通紙に搬送負荷を与えることなく反転搬送路２１に円滑に案内することができる。
【００３１】
次に、厚紙を用いて片面印字を行う場合について説明する。定着装置１５を通過した厚紙は、搬送ローラー対２３によって用紙搬送路１６を上方に向けて搬送される（図２の実線矢印）。そして、図６に示すように、第１搬送ガイド３０ｂ、３０ｃに作用するモーメント（図５参照）に抗して第１搬送ガイド３０ｂ、３０ｃを時計回り方向（矢印Ａ′方向）に回転させる。
【００３２】
その結果、普通紙の場合と同様に、図７に示すように、第１搬送ガイド３０ｂ、３０ｃは搬送面２０ａ方向に倒伏した状態となる。図６に示すように、第１搬送ガイド３０ｂ、３０ｃが倒伏した状態にあるとき、搬送面２０ａからの最大突出高さがガイドリブ３２ａと同一である位置（以下、第２の位置という）に配置されている。具体的には、用紙搬送路１６から湾曲部２０を通過して反転搬送路２１に向かう用紙搬送方向に対し、少なくとも第１搬送ガイド３０ｂ、３０ｃの上流側（図６の上側）がガイドリブ３２ａよりも搬送面２０ａ側に退避している。
【００３３】
その後、普通紙の場合と同様に、厚紙は搬送ローラー対２５、排出ローラー対１７を介して排出トレイ１８に排出され、片面印字が終了する。なお、厚紙が通過した後の第１搬送ガイド３０ｂ、３０ｃは、自重により再び第１の位置に戻る。
【００３４】
また、厚紙を用いて両面印字を行う場合は、定着装置１５を通過した厚紙を搬送ローラー対２３、２５、排出ローラー対１７によって用紙搬送路１６を上方に向けて搬送する。（図２の実線矢印）そして、厚紙の後端が湾曲部２０を通過したタイミングで搬送ローラー対２５、排出ローラー対１７を逆方向に回転させる。これにより、厚紙の搬送方向が逆向きとなり、厚紙は後端側を先頭にして再び湾曲部２０を下向きに通過する。
【００３５】
このとき、厚紙は一旦上方に向けて搬送されており、且つ厚紙は第１搬送ガイド３０ｂ、３０ｃを完全には通過しておらず、厚紙の後端が第１搬送ガイド３０ｂ、３０ｃに重なった状態にある。コシの弱い普通紙を用いて両面印字を行う場合は、第１搬送ガイド３０ｂ、３０ｃは用紙を押し戻すようにして第１の位置に戻るが、厚紙の場合は普通紙に比べてコシが強いため、第１搬送ガイド３０ｂ、３０ｃは第１の位置に戻ることができない。従って、第１搬送ガイド３０ｂ、３０ｃは第２の位置に配置された状態となり、厚紙を反転搬送路２１に案内する役割を果たせない。
【００３６】
そこで、第２搬送ガイド３１ｂにガイドリブ３２ａを設け、ガイドリブ３２ａが第２の位置にある第１搬送ガイド３０ｂ、３０ｃよりも搬送面２０ａから突出することにより、厚紙はガイドリブ３２ａに沿って湾曲部２０を通過し、反転搬送路２１に案内される。以下、普通紙の場合と同様にして画像が形成されていない面にトナー像が転写、定着された厚紙は、搬送ローラー対２３、２５、及び排出ローラー対１７により排出トレイ１８に排出され、両面印字が終了する。
【００３７】
本実施形態では、第２搬送ガイド３１ｂ、３１ｄにガイドリブ３２ａを設け、第１搬送ガイドがガイドリブ３２ａよりも湾曲部２０内に突出した第１の位置と、第２ガイド３２ｂよりも湾曲部２０から退避した第２の位置とに揺動可能とする。この構成により、普通紙を用いて片面印字、両面印字を行う場合、及び厚紙を用いて片面印字を行う場合は、第１の位置に配置された第１搬送ガイド３０ｂ、３０ｃに沿って、用紙に搬送負荷を与えることなく用紙を円滑に所定の搬送路に案内することができる。
【００３８】
また、厚紙を用いて両面印字を行う場合は、厚紙の通過によって倒伏し、第２の位置に配置された第１搬送ガイド３０ｂ、３０ｃに代わって、湾曲部２０内に突出するガイドリブ３２ａに沿って厚紙が反転搬送路２１に円滑に案内される。従って、後端側から湾曲部２０内に進入した厚紙が搬送ローラー対２３（用紙搬送路１６）に案内されることによるジャムの発生を防止することができる。
【００３９】
なお、ここでは図６に示すように、第２の位置に配置された第１搬送ガイド３０ｂ、３０ｃの最大突出高さＨがガイドリブ３２ａと同一となるように設定したが、これに限らず、第１搬送ガイド３０ｂ、３０ｃの最大突出高さＨがガイドリブ３２ａの突出高さ以下となるようにしても良い。
【００４０】
その他本発明は、上記実施形態に限定されず、本発明の趣旨を逸脱しない範囲で種々の変更が可能である。例えば、上記実施形態では、第１搬送ガイド３０ａ〜３０ｄを用紙幅方向の４箇所に設け、ガイドリブ３２ａを用紙幅方向の２箇所に設けたが、第１搬送ガイド３０及びガイドリブ３２ａの個数及び配置は、使用する用紙幅等に応じて適宜設定することができる。
【００４１】
また、第１搬送ガイド３０ａ〜３０ｄに作用するモーメントの大きさについても、使用する用紙の厚みやコシの強さ等に応じて、第１搬送ガイド３０ａ〜３０ｄの重量や揺動支点Ｏと重心Ｇとの位置関係を設定することで調整可能である。
【００４２】
また、本発明は図１に示したようなモノクロプリンターに限らず、カラープリンター、モノクロ及びカラー複写機、デジタル複合機、或いはファクシミリ等、両面印字用の反転搬送路を備えた他のタイプの画像形成装置にも適用できるのはもちろんである。
【産業上の利用可能性】
【００４３】
本発明は、記録媒体の両面に印字する両面印字機能を備えた画像形成装置に利用可能である。本発明の利用により、用紙の種類に係わらず反転搬送路へ円滑に案内でき、両面印字時におけるジャムの発生を抑制可能な簡易な構成の画像形成装置を提供することができる。
【符号の説明】
【００４４】
１５                定着装置
１５ａ              ハウジング
１６                用紙搬送路（記録媒体搬送路）
１７                排出ローラー対（排出部）
１８                排出トレイ
２０                分岐部（湾曲部）
２０ａ              搬送面（湾曲部）
２１                反転搬送路
２１ａ              搬送面（反転搬送路）
２３、２５          搬送ローラー対
３０ａ〜３０ｄ      第１搬送ガイド
３１ａ〜３１ｅ      第２搬送ガイド
３２ａ              搬送リブ
３２ｂ              ガイドリブ
３３                支持部
１００              画像形成装置
Ｐ                  画像形成部
Ｇ                  （第１搬送ガイドの）重心
Ｏ                  （第１搬送ガイドの）揺動支点
Ｈ                  （第１搬送ガイドの）最大突出高さ
【図１】
2016044046.tif 000003
【図２】
2016044046.tif 000004
【図３】
2016044046.tif 000005
【図４】
2016044046.tif 000006
【図５】
2016044046.tif 000007
【図６】
2016044046.tif 000008
【図７】
2016044046.tif 000009